(57)【要約】【課題】脆弱な細長いワークを加工に際し破損しないようにクランプする。【解決手段】両端に夫々テーパ面１，２が形成された拡縮可能なスプリングコレット３と、このスプリングコレットを覆うスリーブ４と、両テーパ面に夫々当接するようにスリーブ内に挿入された環状テーパ部５，６とを具備する。環状テーパ部の一方がスリーブに固定され、他方がスリーブ内にスライド可能に挿入され、両環状テーパ部間には、互いに離反方向に付勢し各環状テーパ部とスプリングコレットとをテーパ面５ａ，６ａ，１，２で接触させる弾性体７が設けられる。ワークＷａ，Ｗｂ挿入前は、弾性体の付勢力でテーパ面が当接することによって、スプリングコレットがスリーブ内に拘束され、ワーク把握時は、弾性体の付勢力でテーパ面が当接することによって、スプリングコレットが縮径し、ワーク解放時に、他方の環状テーパ部６を弾性体の付勢力に抗するようにスライドさせると、各テーパ面の当接が緩められ、スプリングコレットが拡径するようにした。【選択図】図１２
2010064167.tif 000002
【特許請求の範囲】
【請求項１】
両端に夫々テーパ面が形成された拡縮可能なスプリングコレットと、このスプリングコレットを覆うスリーブと、上記両テーパ面に夫々当接するように上記スリーブ内に挿入された環状テーパ部とを具備し、両環状テーパ部の一方又は双方を上記スプリングコレットに対し相対的にスライドさせることにより、上記スプリングコレットを縮径又は拡径させるようにしたコレットチャック装置において、上記両環状テーパ部の一方が上記スリーブに固定されると共に他方が上記スリーブ内にスライド可能に挿入され、上記両環状テーパ部間には、両環状テーパ部を互いに離反方向に付勢することによって各環状テーパ部と上記スプリングコレットとを夫々各テーパ面で接触させる弾性体が設けられ、ワーク挿入前は、上記弾性体の付勢力で上記各環状テーパ部と上記スプリングコレットの各テーパ面が当接することによって、上記スプリングコレットが上記スリーブ内に拘束され、ワーク把握時は、上記弾性体の付勢力で上記各環状テーパ部と上記スプリングコレットの各テーパ面が当接することによって、上記スプリングコレットの両端部がワークの外周面に当たるように縮径し、ワーク解放時に、上記他方の環状テーパ部を上記弾性体の付勢力に抗するようにスライドさせると、上記各環状テーパ部と上記スプリングコレットの各テーパ面の当接が緩められることによって、スプリングコレットが拡径するようにしたことを特徴とするコレットチャック装置。
【請求項２】
請求項１に記載のコレットチャック装置において、上記弾性体が圧縮コイルスプリングであることを特徴とするコレットチャック装置。
【請求項３】
請求項１に記載のコレットチャック装置において、上記一方の環状テーパ部が上記スリーブに取り外し可能に螺合していることを特徴とするコレットチャック装置。
【請求項４】
請求項１に記載のコレットチャック装置において、上記スプリングコレットには一方のテーパ面側から他方のテーパ面側へと伸びるすり割りが交互に形成され、ワーク把握時に、上記弾性体の付勢力、及び上記各環状テーパ部と上記スプリングコレットの各テーパ面での当接によって、上記スプリングコレットの全体がワーク外周面に略平行に縮径した後、上記スプリングコレットの両端部の内周面がワーク外周面を把握するが、上記スプリングコレットの中央部の内周面はワークに接触しない状態となるようにしたことを特徴とするコレットチャック装置。
【発明の詳細な説明】
【技術分野】
【０００１】
本発明は、例えば細長い脆弱なワークを安定的に把握することができるコレットチャック装置に関する。
【背景技術】
【０００２】
従来、金属棒等の硬いワークに対して切削加工等を行う場合、コレットチャック装置を使用してワークを把握している（例えば、特許文献１参照）。また、細長いガラス管等の脆弱なワークに対して各種の加工処理を行う場合も、上記と同様な原理のコレットチャック装置を使用してワークを把握している。
【０００３】
【特許文献１】特開２００１−３２２０１４号公報
【発明の開示】
【発明が解決しようとする課題】
【０００４】
しかし、従来のコレットチャック装置はワークを把握するための力加減が難しい。また、スプリングコレットの把握面をワーク外周面に平行にして当てることが難しい。そのため、細長いガラス管等の脆弱なワークを壊れないように掴むのが難しく、チャッキングの際にワークが破損しやすいという問題がある。また、コレットチャック装置内でワークが破損した場合に、ワークの破片をコレットチャック装置から取り出し難い等、コレットチャック装置の清掃等メンテナンスが難しいという問題がある。
【０００５】
従って、本発明は上記問題点を解決する手段を提供することを目的とする。
【課題を解決するための手段】
【０００６】
上記課題を解決するため、本発明は次のような構成を採用する。
【０００７】
なお、発明の理解を容易にするため図面の参照符号を括弧書きで付するが、本発明はこれに限定されるものではない。
【０００８】
すなわち、請求項１に係る発明は、両端に夫々テーパ面（１，２）が形成された拡縮可能なスプリングコレット（３）と、このスプリングコレット（３）を覆うスリーブ（４）と、上記両テーパ面（１，２）に夫々当接するように上記スリーブ（４）内に挿入された環状テーパ部（５，６）とを具備し、両環状テーパ部（５，６）の一方又は双方を上記スプリングコレット（３）に対し相対的にスライドさせることにより、上記スプリングコレット（３）を縮径又は拡径させるようにしたコレットチャック装置において、上記両環状テーパ部（５，６）の一方が上記スリーブ（４）に固定されると共に他方が上記スリーブ（４）内にスライド可能に挿入され、上記両環状テーパ部（５，６）間には、両環状テーパ部（５，６）を互いに離反方向に付勢することによって各環状テーパ部（５，６）と上記スプリングコレット（３）とを夫々各テーパ面（５ａ，６ａ，１，２）で接触させる弾性体（７）が設けられ、ワーク（Ｗａ，Ｗｂ，Ｗｃ）挿入前は、上記弾性体（７）の付勢力で上記各環状テーパ部（５，６）と上記スプリングコレット（３）の各テーパ面（５ａ，６ａ，１，２）が当接することによって、上記スプリングコレット（３）が上記スリーブ（４）内に拘束され、ワーク（Ｗａ，Ｗｂ，Ｗｃ）把握時は、上記弾性体（７）の付勢力で上記各環状テーパ部（５，６）と上記スプリングコレット（３）の各テーパ面（５ａ，６ａ，１，２）が当接することによって、上記スプリングコレット（３）の両端部がワーク（Ｗａ，Ｗｂ，Ｗｃ）の外周面に当たるように縮径し、ワーク（Ｗａ，Ｗｂ，Ｗｃ）解放時に、上記他方の環状テーパ部（５，６）を上記弾性体（７）の付勢力に抗するようにスライドさせると、上記各環状テーパ部（５，６）と上記スプリングコレット（３）の各テーパ面（５ａ，６ａ，１，２）の当接が緩められることによって、スプリングコレット（３）が拡径するようにしたコレットチャック装置を採用する。
【０００９】
請求項２に記載されるように、請求項１に記載のコレットチャック装置において、上記弾性体は圧縮コイルスプリング（７）とすることができる。
【００１０】
請求項３に記載されるように、請求項１に記載のコレットチャック装置において、上記一方の環状テーパ部（５）が上記スリーブ（４）に取り外し可能に螺合しているものとすることができる。
【００１１】
請求項４に記載されるように、請求項１に記載のコレットチャック装置において、上記スプリングコレット（３）には一方のテーパ面（１又は２）側から他方のテーパ面（２又は１）側へと伸びるすり割り（８）が交互に形成され、ワーク（Ｗａ，Ｗｂ，Ｗｃ）把握時に、上記弾性体（７）の付勢力、及び上記各環状テーパ部（５，６）と上記スプリングコレット（３）の各テーパ面（５ａ，６ａ，１，２）での当接によって、上記スプリングコレット（３）の全体がワーク外周面に略平行に縮径した後、上記スプリングコレット（３）の両端部の内周面がワーク外周面を把握するが、上記スプリングコレット（３）の中央部の内周面はワーク（Ｗａ，Ｗｂ，Ｗｃ）に接触しない状態となるようにしたものとすることができる。
【発明の効果】
【００１２】
請求項１に係る発明によれば、両端に夫々テーパ面（１，２）が形成された拡縮可能なスプリングコレット（３）と、このスプリングコレット（３）を覆うスリーブ（４）と、上記両テーパ面（１，２）に夫々当接するように上記スリーブ（４）内に挿入された環状テーパ部（５，６）とを具備し、両環状テーパ部（５，６）の一方又は双方を上記スプリングコレット（３）に対し相対的にスライドさせることにより、上記スプリングコレット（３）を縮径又は拡径させるようにしたコレットチャック装置において、上記両環状テーパ部（５，６）の一方が上記スリーブ（４）に固定されると共に他方が上記スリーブ（４）内にスライド可能に挿入され、上記両環状テーパ部（５，６）間には、両環状テーパ部（５，６）を互いに離反方向に付勢することによって各環状テーパ部（５，６）と上記スプリングコレット（３）とを夫々各テーパ面（５ａ，６ａ，１，２）で接触させる弾性体（７）が設けられ、ワーク（Ｗａ，Ｗｂ，Ｗｃ）挿入前は、上記弾性体（７）の付勢力で上記各環状テーパ部（５，６）と上記スプリングコレット（３）の各テーパ面（５ａ，６ａ，１，２）が当接することによって、上記スプリングコレット（３）が上記スリーブ（４）内に拘束され、ワーク（Ｗａ，Ｗｂ，Ｗｃ）把握時は、上記弾性体（７）の付勢力で上記各環状テーパ部（５，６）と上記スプリングコレット（３）の各テーパ面（５ａ，６ａ，１，２）が当接することによって、上記スプリングコレット（３）の両端部がワーク（Ｗａ，Ｗｂ，Ｗｃ）の外周面に当たるように縮径し、ワーク（Ｗａ，Ｗｂ，Ｗｃ）解放時に、上記他方の環状テーパ部（５，６）を上記弾性体（７）の付勢力に抗するようにスライドさせると、上記各環状テーパ部（５，６）と上記スプリングコレット（３）の各テーパ面（５ａ，６ａ，１，２）の当接が緩められることによって、スプリングコレット（３）が拡径するようにしたコレットチャック装置であることから、スプリングコレット（３）、環状テーパ部（５，６）、弾性体（７）等を含む内蔵物がスリーブ（４）と一体化される。したがって、ワーク（Ｗａ，Ｗｂ，Ｗｃ）の処理・加工のための機械装置に対し、このコレットチャック装置を簡易に着脱することができ、清掃等のメンテナンス上非常に有利である。また、細長いガラス管等のような脆弱なワーク（Ｗａ，Ｗｂ，Ｗｃ）であっても弾性体（７）の付勢力を使ってワーク（Ｗａ，Ｗｂ，Ｗｃ）を適度なクランプ力で安定的に把握することができる。したがって、脆弱なワーク（Ｗａ，Ｗｂ，Ｗｃ）であってもそのクランプ時における破損を防止することができる。
【００１３】
請求項２に記載されるように、請求項１に記載のコレットチャック装置において、上記弾性体が圧縮コイルスプリング（７）である場合は、限られたスペースの中に弾性体（７）を設置しやすくなる。また、コレットチャック装置の構造を簡素化し、組立・分解を簡易に行うことができる。
【００１４】
請求項３に記載されるように、請求項１に記載のコレットチャック装置において、上記一方の環状テーパ部（５）が上記スリーブ（４）に取り外し可能に螺合するものとすると、コレットチャック装置の組立・分解を簡易に行うことができ、コレットチャック装置内の清掃等、コレットチャック装置のメンテナンスを簡易に行うことができる。例えば、スプリングコレット（３）内に破片等の異物が入っても、スプリングコレット（３）、環状テーパ部（５，６）及び弾性体（７）からなる内蔵物を一体化された状態でコレットチャック装置から取り外すことによって、コレットチャック装置内から容易に異物を除去することができる。
【００１５】
請求項４に記載されるように、請求項１に記載のコレットチャック装置において、上記スプリングコレット（３）には一方のテーパ面（１又は２）側から他方のテーパ面（２又は１）側へと伸びるすり割り（８）が交互に形成され、ワーク（Ｗａ，Ｗｂ，Ｗｃ）の把握時に、上記弾性体（７）の付勢力、及び上記各環状テーパ部（５，６）と上記スプリングコレット（３）の各テーパ面（５ａ，６ａ，１，２）での当接によって、上記スプリングコレット（３）の全体がワーク外周面に略平行に縮径した後、上記スプリングコレット（３）の両端部の内周面がワーク外周面を把握するが、上記スプリングコレット（３）の中央部の内周面はワーク（Ｗａ，Ｗｂ，Ｗｃ）に接触しない状態となるようにしたものとすると、スプリングコレット（３）の両端部の内周面がワーク外周面に対し平行面となって接触する。したがって、スプリングコレット（３）の内径サイズをワーク（Ｗａ，Ｗｂ，Ｗｃ）の外径毎に準備・交換する必要が無く効率的な装置を実現することができるのはもちろんのこと、テーパや段差の存在等により外径寸法に差があるワーク（Ｗｃ）であってもその前後部を安定的に把握することができる。また、スプリングコレット（３）の中心穴をストレート内径の穴とした場合においても、テーパや段差の存在等により外径寸法に多少の差があるワーク（Ｗｃ）を的確に把握することができる。
【発明を実施するための最良の形態】
【００１６】
以下、図面を参照して発明を実施するための最良の形態について説明する。
【００１７】
図１乃至図５に示すように、このコレットチャック装置は、両端に夫々テーパ面１，２が形成され、かつ、両端が拡縮可能に形成されたスプリングコレット３と、このスプリングコレット３を覆うスリーブ４と、上記両テーパ面１，２に夫々当接するようにスリーブ４内に挿入された環状テーパ部５，６とを具備する。
【００１８】
また、両環状テーパ部５，６のうち一方の環状テーパ部５がスリーブ４に固定されると共に他方の環状テーパ部６がスリーブ４内にスライド可能に挿入され、両環状テーパ部５，６間には、環状テーパ部５，６同士を離反方向に付勢することによって各環状テーパ部５，６とスプリングコレット３の各テーパ面５ａ，６ａ，１，２とを夫々接触させる弾性体として圧縮コイルスプリング７が設けられる。
【００１９】
これにより、両環状テーパ部５，６のうち一方の環状テーパ部６をスリーブ４に対し相対的にスライドさせると、図１２又は図１３に示すように、スプリングコレット３の両端が縮径してスプリングコレット３内に挿入されたワークＷａ、Ｗｂ、Ｗｃを把握し、又は拡径してワークＷａ、Ｗｂ、Ｗｃを解放する。この作用については後に詳述する。
【００２０】
スプリングコレット３は、図５乃至図９に示すように、円筒部３ａと、その円筒部３ａの両端に夫々円筒部３ａと一体的に設けられた円錐台部３ｂ，３ｃとを有する。
【００２１】
スプリングコレット３の中心部では、一方の円錐台部３ｂから円筒部３ａを通って他方の円錐台部３ｃへとストレート穴３ｄが貫通する。ストレート穴３ｄの内径は各種ワークＷａ、Ｗｂ、Ｗｃの外径の最大寸法よりも所定寸法αだけ大きくなるように形成される。
【００２２】
両円錐台部３ｂ，３ｃの外周には、軸方向外側に向かって拡開するテーパ面１，２がそれぞれ形成される。両円錐台部３ｂ，３ｃは、スリーブ４内に収納することができるように、外径がスリーブ４の内径よりも小さくなるように形成される。
【００２３】
また、円錐台部３ｂは、最も縮めた状態で環状テーパ部５の中心を通過しないように形成される。円錐台部３ｃは、最も縮めた状態で環状テーパ部５の中心を通過でき、スライダ９の中心を通過できるが、環状テーパ部６の中心は通過することができないように形成される。
【００２４】
このような円筒部３ａおよび両円錐台部３ｂ，３ｃに対して、一方のテーパ面１又は２側から他方のテーパ面２又は１側へと伸びるスリット状のすり割り８が交互に形成される。また、円筒部３ａは比較的薄く形成される。
【００２５】
これにより、図１２又は図１３に示すように、ワークＷａ，Ｗｂ，Ｗｃが挿入されたうえで上記弾性体である圧縮コイルスプリング７の付勢力が作用すると、全体がワークＷａ，Ｗｂ，Ｗｃの外周面に対し略平行に縮径するが、テーパ面１，２，５ａ，６ａ同士の摺接によって、スプリングコレット３の両端部の内周面が先行して縮径し、ワークＷａ，Ｗｂ，Ｗｃの外周面に対し平行面となって接触する。スプリングコレット３の中央部は両端部の縮径にやや遅れて縮径し、ワークＷａ，Ｗｂ，Ｗｃの外周面からはやや離れた位置で停止する。
【００２６】
なお、スプリングコレット３のすり割り８は小径のワークＷａを把握することができるまで縮むようにするため、比較的幅広く加工される。また、スプリングコレット３の両テーパ部１，２には、大きく縮んだ時も両環状テーパ部５，６の各テーパ面５ａ，６ａに対し各テーパ部の中心が滑らかに当るようにするため、望ましくはすり割り８の両側にニゲ加工によって逃げ部１ａ，２ａが形成される。
【００２７】
スリーブ４は、図１乃至図５に示すように、略円筒形に形成される。スリーブ４の一方の開口部における内周面には、一方の環状テーパ部５が螺合する雌ネジ４ａが形成される。また、スリーブ４の他方の開口部における内周面は、他方の環状テーパ部６を支持する筒状のスライダ９が円滑に摺動することができるように平滑面として形成される。
【００２８】
スリーブ４はこのコレットチャック装置のケーシングともなるもので、このスリーブ４の外側に図示しない軸受、歯車等が組み付けられたうえで、各種加工機械に装着される。
【００２９】
一方の環状テーパ部５はテーパ付きのブッシュとして形成される。この環状テーパ部５の外周面には、上記スリーブ４の雌ネジ４ａと螺合する雄ネジ５ｂが形成される。この環状テーパ部５のスリーブ４から突出する部分の外周面には、複数箇所にわたって平坦部５ｃが形成される。また、図１および図５に示すように、スリーブ４の外面にも同様な平坦部４ｂが形成される。これらの平坦部５ｃ，４ｂにスパナ等の工具を掛けることにより、環状テーパ部５をスリーブ４に対して簡易に着脱することができる。
【００３０】
このように、環状テーパ部５がスリーブ４に取り外し可能に螺合していることから、環状テーパ部５をスリーブ４から抜き取ることにより、スプリングコレット３等の内蔵物をスリーブ４から自在に取り外すことができ、したがって、コレットチャック装置のスリーブ内の組立・分解を簡易に行うことができ、コレットチャック装置内の清掃等、コレットチャック装置のメンテナンスを簡易に行うことができる。
【００３１】
また、環状テーパ部５の内周面には、スプリングコレット３の大径側のテーパ面１に当接可能なテーパ面５ａがすり鉢状に形成される。このすり鉢状のテーパ面５ａの奥には、弾性体である圧縮コイルスプリング７の一端を受け止める段部５ｄが設けられる。
【００３２】
他方の環状テーパ部６は、テーパ付きのカラーとして形成される。この環状テーパ部６の内周面には、スプリングコレット３の小径側のテーパ面２に当接可能なテーパ面６ａがすり鉢状に形成される。この環状テーパ部６の外周面には、スリーブ４の内面にスライド可能に摺接する円筒形のスライダ９が被せられ、スライダ９との間での嵌合等によってスライダ９の後端に固定される。このスライダ９がスリーブ４の内面に沿ってスライドすることによって、環状テーパ部６は、図４、図１２又は図１３に示すように、スリーブ４に対し出没自在となる。
【００３３】
スライダ９の奥には、弾性体である圧縮コイルスプリング７の他端を受け止める段部９ａが設けられる。上述したように、一方の環状テーパ部５がスリーブ４に固定され、また、両環状テーパ部５，６のテーパ面５ａ，６ａが互いに逆向きに傾斜し、これらのテーパ面５ａ，６ａにスプリングコレット３のテーパ面１，２が当接していることから、圧縮コイルスプリング７の付勢力が両環状テーパ部５，６を互いに離反する方向に作用しても、図４（Ａ）に示すように、スプリングコレット３や環状テーパ部５，６等の内蔵部品はスリーブ４から脱落しないようにスリーブ４内に拘束される。
【００３４】
なお、この環状テーパ部６は、図５に示すように、この実施の形態では、その軸線を含む平面上で二分割されている。これにより、後述するようにコレットチャック装置の組立を簡易に行うことができる。
【００３５】
弾性体は、望ましくは圧縮コイルスプリング７であるが、他の弾性体を使用することも可能である。圧縮コイルスプリング７を使用する場合は、スリーブ４内の限られたスペースの中に設置しやすくなる。また、コレットチャック装置の構造を簡素化し、組立・分解を簡易に行うことができる。
【００３６】
この圧縮コイルスプリング７の弾性変形によって、両環状テーパ部５，６同士が離反する方向に付勢される結果、図２および図３に示すように、スプリングコレット３の両端の円錐台部３ｂ，３ｃは夫々噛み合うように閉じ、スプリングコレット３の中心を通るストレート孔３ｄは縮径した状態となる。
【００３７】
また、図４（Ｂ）から明らかなように、スプリングコレット３、環状テーパ部５，６、圧縮コイルスプリング７及びスライダ９からなるスリーブ４内の内蔵部品は、環状テーパ部５を回してスリーブ４から抜き取った後においても、一体化された状態を保つ。したがって、コレットチャック装置のメンテナンスが簡易化され、コレットチャック装置内からのワークＷａ，Ｗｂ，Ｗｃの破片等異物の除去も簡易に行うことができる。
【００３８】
次に、上記構成のコレットチャック装置の作用について説明する。
【００３９】
最初にコレットチャック装置の組立方法について説明すると、図５において、スプリングコレット３の小径側の円錐台部３ｃを縮めながらテーパブッシュである環状テーパ部５の中心穴を通過させ、圧縮コイルスプリング７内を通過させ、スライダ９の中心穴を通過させる。
【００４０】
さらに、圧縮コイルスプリング７を圧縮しながら、二つ割りのテーパカラーからなる環状テーパ部６をスプリングコレット３の小径側の円錐台部３ｃに被せ、圧縮コイルスプリング７に対する圧縮力を徐々に解除する。
【００４１】
これにより、スプリングコレット３の両円錐台部３ｂ，３ｃは、圧縮コイルスプリング７の反発力を両環状テーパ部５，６からテーパ面１，２，５ａ，６ａを介して受けることによって収縮した状態となる。
【００４２】
この状態がスプリングコレット３の最も収縮した状態であり、スプリングコレット３の大径側円錐台部３ｂはテーパブッシュである環状テーパ部５の中心穴を通過できず、スプリングコレット３の小径側円錐台部３ｃもテーパカラーである環状テーパ部６の中心穴を通過することができない。
【００４３】
そこで、テーパブッシュである環状テーパ部５をスリーブ４内にネジ込むと、スプリングコレット３、圧縮コイルスプリング７、両環状テーパ部５，６、およびスライダ９は、スリーブ４内に組み付けられ一体化される。
【００４４】
これにより、スプリングコレット３、圧縮コイルスプリング７、両環状テーパ部５，６、スライダ９は、コレットチャック装置内において一体化された内蔵物となる。
【００４５】
このコレットチャック装置は、そのスリーブ４の外側に軸受、歯車等が組み付けられることにより、実際の加工装置に組み込まれる。
【００４６】
加工装置によってワークＷａ，Ｗｂ，Ｗｃを加工する際は、図４（Ａ）に示す状態において、図示しない加工装置の駆動部品により、圧縮コイルスプリング７の付勢力に抗するように小径側の環状テーパ部６がスリーブ４内へと押し込まれる。これにより、スライダ９がスリーブ４の奥へとスライドし、圧縮コイルスプリング７が両環状テーパ部５，６間で圧縮され、各環状テーパ部５，６のテーパ面５ａ，６ａとスプリングコレット３の各テーパ面１，２との当接が緩められる。その結果、図６乃至図９に示す如く、スプリングコレット３が拡径し自由状態に戻る。
【００４７】
そこで、図１０乃至図１２の下半分に示すように、細いワークＷａがスプリングコレット３のストレート孔３ｄ内に通される。ワークＷａとしては、例えば細長いガラス管等のような脆弱な棒材とすることができる。
【００４８】
続いて、小径側の環状テーパ部６からスリーブ４内への押し込み力が解除されると、圧縮コイルスプリング７の付勢力によって再び各環状テーパ部のテーパ面５ａ，６ａとスプリングコレット３の各テーパ面１，２とが強く当接する。その結果、スプリングコレット３が縮径することによって、ワークＷａがスプリングコレット３によって把握される。
【００４９】
このように、圧縮コイルスプリング７の弾性力を利用することによって、ワークＷａがスプリングコレット３によって把握されるので、細長いガラス管等のような脆弱なワークであっても適度なクランプ力で安定的に保持され、クランプによるワークＷａの破損が防止される。
【００５０】
また、スプリングコレット３には、一方のテーパ面１又は２側から他方のテーパ面２又は１側へと伸びるスリット状のすり割り８が交互に形成され、かつ、スプリングコレット３の円筒部３ａは比較的薄く形成されていることから、全体がワーク外径に略平行に縮径する。しかも、スプリングコレット３の両端部の内周面がワークの外周面を二箇所で外周面と平行面となって把握し、スプリングコレット３の中央部の内周面はワークに接触しない状態となる。これにより、ワークＷａはぐらつかず安定的に保持され、加工時のワークＷａの破損が防止される。
【００５１】
図１０乃至図１２の上半分に示すように、同じスプリングコレット３によって、上記ワークＷａよりも太いワークＷｂを把握することも可能である。その場合は、圧縮コイルスプリング７が更に縮むので、スプリングコレット３はワークＷｂをより強いクランプ力で把握することとなる。
【００５２】
この場合もスプリングコレット３の全体がワークＷｂの外周面に略平行に縮径し、かつ両端部の内周面がワークＷｂの外周面を二箇所で外周面と平行面となって把握し、中央部の内周面はワークＷｂに非接触位置を保つ。これにより、ワークＷｂはぐらつかず安定的に保持される。
【００５３】
また、スプリングコレット３には、一方のテーパ面１又は２側から他方のテーパ面２又は１側へと伸びるスリット状のすり割り８が交互に形成され、かつ、スプリングコレット３の円筒部３ａは比較的薄く形成されていることから、図１３に示すように、ワークＷｃが挿入されたうえで圧縮コイルスプリング７の付勢力が作用すると、スプリングコレット３の全体がワークＷｃの外周面に略平行に縮径し、かつ両端部の内周面がワークＷｃの外周面を二箇所でこの外周面と平行面となって把握し、中央部の内周面はワークＷｃに非接触位置を保つ。これにより、ワークＷｃはぐらつかず安定的に保持される。すなわち、図１３に示すように、段差ｗ、テーパ等の存在により外径寸法に差があるワークＷｃであってもその前後部を把握し、ワークＷｃの軸心をスリーブ４の軸心に合致させることができる。また、材料通し孔３ｄがストレート内径のスプリングコレット３であっても、テーパや段差ｗの存在により外径寸法に多少の差があるワークＷｃを的確に把握することができる。
【００５４】
ワークＷａ，Ｗｂ，Ｗｃの加工が終了し、ワークＷａ，Ｗｂ，Ｗｃをコレットチャック装置から取り外す場合は、図示しない加工装置の駆動部品により、小径側の環状テーパ部材６がスライダ９と共に圧縮コイルスプリング７の付勢力に抗するようにスリーブ４側に押し込まれる。これによりスライダ９はスリーブ４の奥の方へとスライドし、圧縮コイルスプリング７は圧縮され、各環状テーパ部５，６のテーパ面５ａ，６ａとスプリングコレット３のテーパ面１，２との当接が緩められる。その結果、スプリングコレット３の両端が拡径し、ワークＷａ，Ｗｂ，Ｗｃがスプリングコレット３から解放される。
【００５５】
加工済みのワークＷａ，Ｗｂ，Ｗｃはスプリングコレット３のストレート孔３ｄから抜き取られ、代わりに未加工のワークＷａ，Ｗｂ，Ｗｃがストレート孔３ｄに挿入され、再び上記操作が行われてコレットチャック装置にクランプされ、ワークＷａ，Ｗｂ，Ｗｃに対する加工が行われる。
【００５６】
なお、仮にワークＷａ，Ｗｂ，Ｗｃがコレットチャック装置内で破損した場合であっても、環状テーパ部５とスリーブ４との間の雌雄ネジ４ａ，５ｂを緩めることにより、このコレットチャック装置内で一体化されたスプリングコレット３等の内蔵物を一体化状態のまま加工機から取り外すことによって、破片等を容易にコレットチャック装置内から除去することができる。
【００５７】
また、この加工機から取り外したスプリングコレット３内からワークＷａ，Ｗｂ，Ｗｃの破片等を容易に除去することができる。
【００５８】
なお、本発明は上記実施の形態に限定されるものではなく、本発明の要旨の範囲内において種々変更可能である。
【図面の簡単な説明】
【００５９】
【図１】本発明に係るコレットチャック装置の最も縮んだ状態の斜視図である。
【図２】図１に示すコレットチャック装置の最も縮んだ状態の右側面図である。
【図３】図１に示すコレットチャック装置の左側面図である。
【図４】（Ａ）は図２中、ＩＶ−ＩＶ線矢視断面図、（Ｂ）は、スプリングコレット等を一体でスリーブから取り出した状態を示す図である。
【図５】本発明に係るコレットチャック装置の分解斜視図である。
【図６】スプリングコレットの自由状態の斜視図である。
【図７】スプリングコレットの自由状態の右側面図である。
【図８】スプリングコレットの自由状態の左側面図である。
【図９】図７中、ＩＸ−ＩＸ線矢視断面図である。
【図１０】上半分は太いワークを把握した状態で示すコレットチャック装置の右側面図であり、下半分は細いワークを把握した状態で示すコレットチャック装置の右側面図である。
【図１１】上半分は太いワークを把握した状態で示すコレットチャック装置の左側面図であり、下半分は細いワークを把握した状態で示すコレットチャック装置の左側面図である。
【図１２】図１０中、ＸＩＩ−ＸＩＩ線矢視断面図である。
【図１３】段差のあるワークを把握した状態で示すコレットチャック装置の図１２と同様な断面図である。
【符号の説明】
【００６０】
１，２，５ａ，６ａ…テーパ面
３…スプリングコレット
４…スリーブ
５，６…環状テーパ部
７…圧縮コイルスプリング
８…すり割り
Ｗａ，Ｗｂ，Ｗｃ…ワーク
【図１】
2010064167.tif 000003
【図２】
2010064167.tif 000004
【図３】
2010064167.tif 000005
【図４】
2010064167.tif 000006
【図５】
2010064167.tif 000007
【図６】
2010064167.tif 000008
【図７】
2010064167.tif 000009
【図８】
2010064167.tif 000010
【図９】
2010064167.tif 000011
【図１０】
2010064167.tif 000012
【図１１】
2010064167.tif 000013
【図１２】
2010064167.tif 000014
【図１３】
2010064167.tif 000015